(57)【要約】  ヒンジ（１）は家具枠（２）に事前に取り付けることができるヒンジ部（４）と、ドア・ウィング（３）に事前に取り付けることができるヒンジ部（６）とをもち、ヒンジ部（４、６）は、関節式に共に結合され、ヒンジ部（４、６）の少なくとも１つは、高さ調整手段（１０）および／または横調整手段（５）をもつ。ドアに取り付けられたヒンジ（６）は、高さ調整手段（１０）が配置されたヒンジ・カップ（８）と、ドア・ウィング（３）の設定された垂直位置で家具枠（２）に対してドア・ウィング（３）を固定するための少なくとも１つの鎖錠要素（１７）とをもつ。
2008539348.tif 000002
【特許請求の範囲】
【請求項１】
家具枠（２）に事前に組み立てられる家具枠側ヒンジ部（４）と、ドア・ウィング（３）に事前に組み立てられるドア側ヒンジ部（６）とをもつヒンジ（１）において、前記ヒンジ部（４、６）が関節式に連結され、前記ヒンジ部（４、６）の少なくとも１つが、高さ調整手段（１０）および／または横調整手段（５）をもつヒンジ（１）であって、
前記ドア側ヒンジ部（６）がヒンジ・カップ（８）を含み、かつ前記高さ調整手段（１０）が前記ヒンジ・カップ（８）内に配置され、少なくとも１つの鎖錠要素（１７）を含み、それによって、前記ドア・ウィング（３）の設定された垂直位置を、前記家具枠（２）に対して、固定することができることを特徴とするヒンジ（１）。
【請求項２】
家具枠（２）に事前に組み立てられる家具枠側ヒンジ部（４）と、ドア・ウィング（３）に事前に組み立てられるドア側ヒンジ部（６）とをもつヒンジ（１）において、前記ヒンジ部（４、６）が関節式に連結され、前記ヒンジ部（４、６）の少なくとも１つが、高さ調整手段（１０）および／または横調整手段（５）をもつヒンジ（１）であって、
前記ヒンジ部（４、６）が、少なくとも１つのリンク軸（７）によって関節式に連結され、
かつ前記横調整手段（５）が、前記家具枠（２）内に配置され前記リンク軸（７）に平行に延びる仮想旋回軸（１１）の周りに前記家具枠側ヒンジ部（４）を旋回させることを特徴とするヒンジ（１）。
【請求項３】
前記ドア側ヒンジ部（６）が、ヒンジ・カップ（８）を含み、
かつ前記高さ調整手段（１０）が前記ヒンジ・カップ（８）内に配置され、それによって、前記ドア・ウィング（３）の設定された垂直位置を、前記家具枠（２）に対して、固定することができる少なくとも１つの鎖錠要素（１７）を含むことを特徴とする請求項２に記載のヒンジ。
【請求項４】
前記ヒンジ部（４、６）が、少なくとも１つのリンク軸（７）によって関節式に連結され、
かつ前記横調整手段（５）が、前記家具枠（２）内に配置され前記リンク軸（７）に平行に延びる仮想旋回軸（１１）の周りに前記家具枠側ヒンジ部（４）を旋回させることを特徴とする請求項１に記載のヒンジ。
【請求項５】
前記家具枠側ヒンジ部（４）が深さ調整手段（１６）をもつことを特徴とする請求項１から４に記載のヒンジ。
【請求項６】
前記ヒンジ（１）がリンク軸（７）を備える単軸ヒンジであることを特徴とする請求項１から５に記載のヒンジ。
【請求項７】
前記家具枠側ヒンジ部（４）が、前記リンク軸（７）を受けるフォーク部材（９）と、前記フォーク部材（９）に枢着された連結部材（１４）とを含むことを特徴とする請求項６に記載のヒンジ。
【請求項８】
前記連結部材（１４）が前記ヒンジ・カップ（８）内に係合し、かつそれが、手動または高さ調整要素（１２）を用いて、ガイド手段（１３）に沿って垂直方向に、前記ヒンジ・カップ（８）内部で変位可能であり、かつそれを、前記鎖錠要素（１７）を用いて、望ましい位置に固定することができることを特徴とする請求項１から７のいずれか一項に記載のヒンジ。
【請求項９】
前記家具枠（２）に載っている前記ヒンジ部（４）の部分が、プレート形状の設計であり、前記家具枠（２）に対して、低い構造的高さをもつことを特徴とする請求項１から８のいずれか一項に記載のヒンジ。
【請求項１０】
前記家具枠側ヒンジ部（４）および前記ドア側ヒンジ部（６）が、クリップ連結（２２）によって結合されることを特徴とする請求項１から９のいずれか一項に記載のヒンジ。
【請求項１１】
前記クリップ連結（２２）が、前記ドア側ヒンジ部（６）内に配置されることを特徴とする請求項１０に記載のヒンジ。
【請求項１２】
前記ドア側ヒンジ部（６）のヒンジ・カップ（８）が、前記クリップ連結（２２）を受けることを特徴とする請求項１０または１１のいずれか一項に記載のヒンジ。
【請求項１３】
前記高さ調整手段（１２）が、前記ドア側ヒンジ部（６）が、偏心器の回転によって垂直方向のその位置を変えるように、前記ヒンジ・カップ（８）のところで支持される少なくとも１つの前記偏心器（１５）を含むことを特徴とする請求項１から１２のいずれか一項に記載のヒンジ。
【請求項１４】
前記高さ調整手段（１２）が前記ヒンジ・カップ（８）内の前記ガイド手段（１３）の真直ぐな歯部（２１）と噛み合うピニオン（１９）をもち、前記ヒンジ・カップ（８）が前記高さ調整手段に平行に延びることを特徴とする請求項１から１２のいずれか一項に記載のヒンジ。
【請求項１５】
前記鎖錠要素（１７）が、現在の位置に前記連結部材（１４）を固定するねじによって、前記ねじが締められるときに、形成されることを特徴とする請求項３から１４のいずれか一項に記載のヒンジ。
【請求項１６】
円筒面が前記家具枠側ヒンジ部（４）を旋回させるために提供され、それの前記円筒軸が前記旋回軸（１１）であることを特徴とする請求項４から１５のいずれか一項に記載のヒンジ。
【請求項１７】
前記深さ調整手段（１６）が、鎖錠位置において、深さ方向（１１）に延びる楕円形締付穴（２５）内に位置する締付ねじ（２４）に対して、中央位置に、前記家具枠側ヒンジ部（４）を保持する解除可能な係合手段をもつことを特徴とする請求項５から１６のいずれか一項に記載のヒンジ。
【請求項１８】
前記クリップ手段（２２）が、前記ヒンジ・カップ（８）と一体であり、前記家具枠側ヒンジ部（４）と共に、前記ヒンジ・カップ（８）内の前記ドア側ヒンジ部（６）の前記高さ調整を準備する留め具連結を形成するばね要素（３４）をもつことを特徴とする請求項１０から１７のいずれか一項に記載のヒンジ。
【請求項１９】
家具枠側ヒンジ部（４）およびドア側ヒンジ部（６）がクリップ連結（２２）で連結される請求項１から１８のいずれか一項に記載のヒンジ（１）用のヒンジ・カップ（８）であって、前記クリップ連結（２２）が前記ヒンジ・カップ（８）と一体であり、前記家具枠側ヒンジ部（４）と共に、前記ヒンジ・カップ（８）内の前記ドア側ヒンジ部（６）の前記高さ調整を準備する留め具連結を形成するばね要素（３４）を含むことを特徴とするヒンジ・カップ（８）。
【発明の詳細な説明】
【技術分野】
【０００１】
本発明は、請求項１の前提部分で画定されるような、家具枠に事前に組み立てられるように適合された家具枠側ヒンジ部と、ドア・ウィングに事前に組み立てられるように適合されたドア側ヒンジ部とをもつヒンジを対象とされる。
【背景技術】
【０００２】
マルチ・リンク式ヒンジは、しばしば、ヒンジ・アーム内のフレーム部分における３次元の調整の可能性をもち、リンク機構のために、一般に、限定された開き角をもつ。マルチ・リンク式ヒンジは、外側から見ることができる部品をもたないので、ヒンジの調整によって達成されたドア位置の修正を、外側から認識することができない。
【０００３】
外側の軸のため、単軸ヒンジは、例えば、１８０°から２７０°の大きい開き角をもつ。一般に、それらは、家具枠側ヒンジ部での高さ調整と、ドア側ヒンジ部の中の横調整とを含む２次元の調整を備える。まれに、楕円形穴の中に配置された締付ねじによって、枠側ヒンジ部での深さ調整が実現される。横調整をドア側ヒンジ部の中で実現することができるので、単軸ヒンジは家具枠の上に平らに配置された、最もしばしば、平らなフランジ・プレートの形状をとる、家具枠側ヒンジ部をもつことができる。
【０００４】
家具枠側ヒンジ部における３次元の調整用のすべての調整手段をヒンジに組み込むことによって、マルチ・リンク式ヒンジは複雑になり、それによって、それらの構造は、家具枠側に対して高くなる。横調整は、家具枠側ヒンジ部の内部に配置された旋回点の周りの回転として実現され、それによって、横調整は深さ設定の変化も伴う。追加の構成要素によって同時の深さ調整を回避することを試みるマルチ・リンク式ヒンジが存在する。したがって、家具枠側ヒンジ部の構造は、さらにより複雑になり、構造的高さはより大きくなる。大きい開き角に対して、家具枠側ヒンジ部の構造的高さを増加させる、さらにまたより複雑な設計をもたらす、さらなるリンクが必要になる。したがって、構成する手段を備えるキャビネット内では、そのようなマルチ・リンク式ヒンジは大いに邪魔になり、または全く不可能である。
【０００５】
単軸ヒンジでは、特に、２７０°の開き角が望ましい場合には、外側の軸は、はるか外側に配置される。ドア・ウィングの位置の修正が必要な場合、例えば、図１に見ることができるように、リンク軸を受ける要素は、ドア・ウィングまたは隣接するリンク軸に対して、外側から見ることができる位置に変えられる。必要な横調整の場合には、ギャップがリンク軸を受ける要素と、ドア・ウィングとの間に形成され、高さ調整の後で、隣接するキャビネットのリンク軸を受ける要素は異なる垂直位置にある。二重ヒンジでは、両方のドアが一緒の場合にだけ、高さ調整は可能である。
【特許文献１】ＥＰ  １１３２５６０
【発明の開示】
【発明が解決しようとする課題】
【０００６】
したがって、本発明の目的は、上述のタイプのヒンジにおいて３次元のヒンジの調整を提供し、かつ上述の不利な点を回避することである。
【課題を解決するための手段】
【０００７】
目的は請求項１の特徴によって達成される。
【０００８】
本発明は、高さ調整手段がドア側ヒンジ部のヒンジ・カップ内に配置され、かつ家具枠に対して、設定されたドア・ウィングの垂直位置を、それによって固定できる少なくとも１つの鎖錠要素を含むことを有利に提供する。
【０００９】
ドア側ヒンジ部のヒンジ・カップに高さ調整を配置することは、家具枠側ヒンジ部の簡単化を有利に準備し、その結果、フレーム上の家具枠側ヒンジ部の低い構造的高さが可能になる。３次元の調整によって、マルチ・リンク式ヒンジまたは単軸ヒンジのいずれが用いられるかにかかわらず、調整がされたかどうかを外側から識別できない。
【００１０】
高さ調整手段をドア側ヒンジ部のヒンジ・ボウル内に配置することは、リンク軸を受ける家具枠側ヒンジ部の要素は固定されたままであり、かつそれらの垂直の位置が変わらないままであるという利点を提供する。
【００１１】
ここで、家具枠側ヒンジ部および／またはドア側ヒンジ部は、横調整手段を含むことができる。
【００１２】
深さ配置手段を、家具枠側ヒンジ部に提供することができる。
【００１３】
好ましくは、ヒンジは、１つのリンク軸をもつ単軸ヒンジである。家具枠側ヒンジ部およびドア側のヒンジ部のヒンジ・カップに実施された調整手段の分配が、単軸ヒンジの平らな構造を、有利に準備する。
【００１４】
家具枠側ヒンジ部は、リンク軸と、フォーク部材に旋回的に蝶番で取り付けられた連結部材とを受けるフォーク部材を含む。
【００１５】
本発明は、横調整手段が、家具枠内に配置されかつリンク軸に平行に延びる仮想旋回軸の周りに、家具枠側ヒンジ部を旋回させることも有利に提供する。
【００１６】
家具枠側ヒンジ部での横調整は、リンク軸を受ける要素と、ドア・ウィングとの間にギャップを形成しないように、調整されるリンク軸を受ける要素を調整することを可能にする。
【００１７】
その結果、家具枠側ヒンジ部での横調整は、ドア・ウィングの横位置が修正される間に、ドア・ウィングだけでなく、フォーク部材および連結部材も共に動く。それによって、有効な調整範囲が大幅に増加される。リンク軸を受ける要素が相互に調整されるので、隣接するドアの位置のよりよい修正が可能になり、特に、リンク軸を受ける要素と、ドア・ウィングとの間にギャップが形成されない。
【００１８】
好ましくは、横調整手段が家具枠側ヒンジ部に配置される。家具枠に配置された旋回軸の周りで家具枠側ヒンジ部を旋回させることは、横調整のときにドア・ウィングが共に動かされるので、横調整が、リンク軸を受ける要素とドア・ウィングの間にギャップを生み出すことができないという効果を生じる。
【００１９】
横調整領域では、家具枠に配置された旋回軸の周りの回転は、家具枠側ヒンジ部の深さ位置に無視できるほど小さい変化しか引き起こさないので、追加の修正処置または修正部材は必要ない。
【００２０】
横調整は、横調整要素、好ましくは戻り止め調整要素、例えば、止めねじを操作することによって、設定される。
【００２１】
最後に、家具枠ヒンジ部での深さ調整が、家具枠に向けて家具枠ヒンジ部の相対変位を準備し、したがって、リンク軸の外側に与えられた大きな開き角を可能にする。
【００２２】
連結部材をヒンジ・カップの中に設置することができ、連結部材は、手動または高さ調整要素によって、ガイド手段に沿ってヒンジ・カップ内で垂直に変位可能であり、かつ鎖錠要素を用いて望ましい位置に鎖錠可能である。高さ調整手段をドア側ヒンジ部のヒンジ・カップ内に配置することは、家具枠側ヒンジ部およびリンク軸を受けるリンクの位置を変えることなく、ドア・ウィングの位置の垂直の修正を準備する。二重のヒンジによって、高さ調整を各ドアに対して別々に実施することができる。
【００２３】
深さ調整は、使用された家具枠／ドア・ウィング材料の位置変化の修正を準備し、ヒンジの調整可能性を３次元の調整可能性として完全なものにする。
【００２４】
家具枠に載っている家具枠側ヒンジ部の部分は、プレート形状の平らな設計であり、家具枠に対して、低い構造的高さをもつ。構造的高さを最大で７ｍｍ、好ましくは最大で５ｍｍまでに限定することができる。
【００２５】
家具枠側ヒンジ部およびドア側ヒンジ部を、互いに固定的に連結することができる。別法として、１つまたは複数の追加の要素を用いて、ヒンジ部は解除可能に結合される。結合は、ねじ連結、または迅速な取り付けを準備するクリップ連結を用いて行われる。ここでは、クリップ連結は、ドア側ヒンジ部の中に、好ましくはそのヒンジ・カップ内に配置されることが好ましく提供される。
【００２６】
高さ調整手段は、例えば、偏心器を回転させることによってドア側ヒンジ部がその垂直位置を変えるように、ヒンジ・カップのところで支持される、少なくとも１つの偏心器を含む高さ調整要素を含むことができる。
【００２７】
あるいは、２つの偏心要素が、それらの間に連結部材を受けることができ、連結部材の位置を、両方の偏心器を調整することによって、ヒンジ・カップのクリアランスの内部で垂直方向で変えることができ、かつ偏心器を用いて固定することができる。
【００２８】
別の実施形態によれば、高さ調整手段が、垂直方向に平行に延びるヒンジ・カップ内でガイド手段の真直ぐな歯部と噛み合う連結部材内に支持されたピニオンを含むことを提供することができる。
【００２９】
連結部材は、それがヒンジ・カップ内のクリアランスの内部で垂直に変位可能でありかつ鎖錠要素によって望ましい垂直位置に固定可能であるように、線形ガイド手段に適合される。
【００３０】
鎖錠要素は、好ましくは、ヒンジ・カップに対して望ましい位置に連結部材をそれで固定できる止めねじである。
【００３１】
ヒンジ・カップ内の高さ調整手段は、ドア・ウィングの手動の変位を提供することができ、または高さ調整要素を使用することもできる。ここでは、偏心器が回転したとき、ドア側ヒンジ部がその垂直位置を変えるように、高さ調整要素はヒンジ・カップで支持された少なくとも１つの偏心器を含むことができる。
【００３２】
ここでは、家具枠側ヒンジ部の連結部材の両側に配置され、かつ、両方の偏心器が回転したとき、連結部材の垂直位置を変えるように適合された２つの偏心器も提供することができる。
【００３３】
あるいは、高さ調整要素は、高さ調整の方向に平行に延びるヒンジ・カップ内のガイド手段の真直ぐな歯部と噛み合うピニオンを含むこともできる。
【００３４】
ドア・ウィングが現在の位置に固定されるように、ねじが締められるとき、鎖錠要素を、現在の位置に連結部材を固定するねじによって形成することができる。
【００３５】
横調整手段であって、円筒面をもち、その円筒軸が家具枠に配置された仮想旋回軸である横調整手段を横調整のために提供することができる。円筒面は、家具枠側ヒンジ部を旋回させるためのガイド面である。旋回軸は、少なくとも１つのヒンジのリンク軸に平行に延びる。
【００３６】
深さ調整手段は、鎖錠位置において、深さ方向に楕円形である取り付け穴に位置する締付ねじに対して中央位置に、家具枠側ヒンジ部を保持する解除可能な鎖錠手段を含むことができる。そのような調整手段は、すでにＥＰ  １１３２５６０の中で高さ調整手段として基本的に説明されており、ここのヒンジの中では、９０度回転して、深さ調整手段として使用することができる。
【００３７】
クリップ連結は、ヒンジ・カップと一体であるばね要素を含み、連結部材と共に、ドア・ウィングの高さ調整を準備する鎖錠連結を形成する。そのようなクリップ連結は、製造の労力を低減させ、製造をより経済的にし、連結部材またはヒンジ・アームに対する高さ調整が妨げられないように、ばね要素が連結部材またはヒンジのヒンジ・アームに係合する。ばね要素の下で、ヒンジ・カップが、ガイドに沿って、連結部材またはヒンジ・アームの上を垂直にまだスライドできる間に、連結部材またはヒンジ・アーム上の突起の上に到達するばね要素によって、これが可能になる。
【００３８】
本発明は家具枠側ヒンジ部およびドア側ヒンジ部が蝶番式に連結され、クリップ連結によって結合されたヒンジ用のヒンジ・カップをさらに言及する。クリップ連結は、家具枠側ヒンジ部またはヒンジ・アームへの連結部材と共に、連結部材の高さ調整を準備する鎖錠連結を形成する、ヒンジ・カップと一体であるばね要素を含む。
【００３９】
以下が、図面に関連した本発明の実施形態の詳細な説明である。
【発明を実施するための最良の形態】
【００４０】
図１は、従来の技術の単軸ヒンジを用いた高さ調整および横調整に起こる望まれない効果を示す。
【００４１】
図１では、２つの単軸ヒンジ１が並んで置かれており、各々がドア・ウィング３をフレームまたは家具枠２と連結する。家具枠側ヒンジ部４は、リンク軸７を受けるフォーク部材９と、フォーク部材９内に蝶番式に受けられるドア側ヒンジ部６への連結部材１４とを含む。単軸ヒンジでは、これらのヒンジ要素は外側から見ることができる。家具枠側ヒンジ部４の高さ調整のとき、リンク軸７を受けるヒンジ要素の位置は、変位され、図１からわかるように隣接するヒンジ１は同じ高さではなく、それによって、家具の美的外観を大いに損なうことになり得る。
【００４２】
従来の横調整の効果が、右に示される。横調整の修正のとき、ギャップが、リンク軸７を受けるヒンジ要素と、ドア・ウィング３との間に形成され得るが、これも家具の美的外観を損なうことになり得る。
【００４３】
図２は、家具枠側ヒンジ部４とドア側ヒンジ部の両方が、家具枠２またはドア・ウィング３に対して平らな構造をもつことを示すヒンジ１の断面図である。ドア側ヒンジ部６は、ドア・ウィング３内に沈みこんだヒンジ・カップ８を含む。
【００４４】
このヒンジ・カップ８は図３の斜視図に示されている。ヒンジ・カップ８は、ヒンジ・カップと一体で連結されたフランジ部分３６を使用して、ドア・ウィング３内のリセス中に固定的に取り付けられ、ヒンジ・カップ８は、家具枠側ヒンジ部４の連結部材１４またはマルチ・リンク式ヒンジのヒンジ・アームが、ヒンジ・カップ８内の高さ調整の方向に異なる位置をとることを可能にするクリアランス３８をもち、それによって、連結部材１４またはヒンジ・アームは固定して保たれる間に、ドア・ウィング３を、垂直に調整する。ブロッキング用には、連結部材１４またはマルチ・リンク式ヒンジのヒンジ・アームは、ヒンジ・カップ８に対して特定の望ましい位置に、連結部材１４またはヒンジ・アームを固定する、例えば、締付ねじによって形成された鎖錠要素１７を含む。ヒンジ・カップ８は、連結部材１４またはヒンジ・アームと係合するガイド手段１３をもち、高さ調整の方向に線形ガイドを形成する。図３では、ガイド手段１３は、このレール要素に適合された連結部材１４のリセス１８と協働する真直ぐなレール要素によって形成される。これらの要素によって形成された高さ調整手段１０は、少なくとも１つの鎖錠手段１７を含み、高さ調整要素１２さえなしで、手動でドア・ウィング３を望ましい位置に移動させることが可能であり、鎖錠要素１７でブロックすることも可能である。
【００４５】
あるいは、ヒンジ・カップ８上に支持された偏心器１５をもつ高さ調整手段１２を提供することができる。偏心器１５を回転させることによって、連結部材１４またはヒンジ・アームに対してドア・ウィング３の垂直位置を調整することができ、その後、鎖錠要素１７を使用してそれは鎖錠される。
【００４６】
高さ調整手段１０は多くの異なる形をとることができることが了解されている。
【００４７】
例えば、偏心器を、ガイド手段１３のところに提供される歯車のラックと噛み合い、または同じものに平行に延びるピニオンで置き換えることができる。そのとき、ドア・ウィング３の高さ調整を、ピニオンを回転させることで行うことができる。
【００４８】
それぞれの偏心器１５を、連結要素１４またはヒンジ・アームの上下に提供することはもう１つの方法であり、したがって、ドア・ウィング３の垂直位置の調整のために、両方が調整されなければならない、全体で２つの高さ調整要素が提供される。ヒンジ・カップ８内に支持された両方の偏心器を、連結部材１４に対して偏向することができるので、それらは同時に鎖錠要素１７を形成し、したがって、追加の組の止めねじを省くことができる。
【００４９】
ヒンジ・カップ８はクリップ連結２２をさらに収納し、そのクリップ連結２２によって、連結部材１４またはヒンジ・アームをヒンジ・カップにクリップ留めすることができる。これを達成するために、連結部材１４はヒンジ・カップ内の第１位置４０にフック留めされ、第２位置４２に弾性的にラッチ留めされる。この目的に、ヒンジ・カップ８は、ヒンジ・カップ８に一体で形成され、フランジ部分３６からヒンジ・カップ８のクリアランス３８に向けて突出するばね要素３４をもつ。ヒンジ部６に設けられた突出４４は、クリップ連結２２を、例えば、ツールを使って解除する役割を果たす。
【００５０】
このツールによって、例えば、ばね要素３４を押し戻すことができ、それによって、連結部材１４またはヒンジ・アームが解除される。
【００５１】
この鎖錠連結の特有の特徴は、ばね要素３４が、連結部材１４またはヒンジ・アームに対して、その下端に沿ってスライドできるので、それがドア・ウィング３の高さ調整と干渉しないということである。
【００５２】
図４は、連結部材１４のない家具枠側ヒンジ部４を示す。家具枠側ヒンジ部４のフランジ部３７が切られて、左半分が表されているので、フォーク部材９の半分だけが示される。
【００５３】
したがって、家具枠側ヒンジ部４は、ベース・プレート４６と協働するフランジ部３７を含み、次に、ベース・プレート４６は家具枠２に直接締結され、または、家具枠側ヒンジ部４が深さ調整手段１６をもつ場合には、ベース・プレート４６は、家具枠２に固定的に締結される深さ調整プレート４８上の異なる深さ位置に配置されるように適合される。
【００５４】
図４は、横調整手段５と深さ調整手段１６とを家具枠側ヒンジ部４に統合することを示す分解図であり、家具枠側ヒンジ部４の低い構造的高さを維持できる。
【００５５】
家具枠２に対するフランジ部分３７の最大の構造的高さは、大きくても７ｍｍであり、好ましくは５ｍｍである。
【００５６】
図４に示された横調整手段５は、フランジ部分３７のピン・レセプタクル５４に位置し、かつ、調整ねじ５６が操作されるとき、内部円筒面５０上をガイドされるピン５２と協働する円筒面５０によって形成される。フランジ部分３７に支持された調整ねじ５６を使用して、家具枠エッジでの距離がベース・プレート４６に対して設定され、それによって、横調整が可能になる。円筒面の曲率半径が、フランジ部分３７が、家具枠２内に配置された仮想旋回軸１１の周りに旋回されるように、選ばれる。
【００５７】
他の機械的解決を実現することも同様にできることが理解され、家具枠側ヒンジ部４のフランジ部分３７が、家具枠２内に配置された旋回軸１１の周りに旋回可能であることが重要である。
【００５８】
横調整の解決の原理は、一般に、マルチ・リンク式ヒンジにも適用可能である。
【００５９】
図５ａおよび５ｂは、知られている横調整手段（図５ａ）と新規の解決の原理とを比較する。図５ａから、従来技術の家具枠側ヒンジ部４の旋回軸１１は、家具枠側ヒンジ部４内に設けられることが明らかである。その結果、横調整が行われたとき、リンク軸７はより大きな距離だけ、ドア・ウィング３から離れる。
【００６０】
図５ｂから明らかなように、図４による解決は、従来技術がもたらすのに比べて、ドア・ウィング３に対してリンク軸７のより少ない位置のエラーをもたらす。横調整のために、深さ調整を修正する必要がないことは追加の利点である。
【００６１】
家具枠側ヒンジ部４が組み立てられた状態では、ピン５２は、家具枠２に面する内部円筒面５０に置かれる。これを達成するために、ベース・プレート４６はフランジ部分３７に連結され、横調整用の調整ねじ５６はベース・プレート４６の下にフック留めされる。それから、ピン５２は、フランジ部分３７のピン・レセプタ５４に押し込まれ、部品は互いに対して可動となるが、互いに恒常的に連結される。ピン５２の代わりに他の連結要素も同様に使用することができ、それらによって、部品を恒常的な方法であるが、互いに連結することができる。
【００６２】
深さ調整プレート４８は家具枠２に固定的に取り付けられる。
【００６３】
ヒンジ１の搬送状態では、深さ調整手段１６は中央位置に鎖錠され、深さ調整が必要な場合に鎖錠解除される。この場合、フランジ部分３７をもったベース・プレートを深さ調整プレート４８に対して深さ方向にシフトすることができる。これを実行するために、ベース・プレート４６とフランジ部分３７の両方が、楕円形穴５８、６０、６２、６４をもち、したがって、深さ調整を行うことができる。深さ調整プレート４８に対するフランジ部分３７をもつベース・プレート４６の位置が、３つの締付ねじ２４が締められるとすぐに、ベース・プレート４６の整合された歯部６６、６８および深さ調整プレート４８によって、それぞれ設定される。
【００６４】
図６は、ドア側ヒンジ部６のヒンジ・カップ８内でそれを行うことができる、横調整のための別の可能性を示す。この目的に、連結部材１４が、楕円形の穴の中にガイドされた締付ねじを使用する連結部材１４の変位を可能にするアダプタ２７を備える。アダプタ２７は、全体として図３に示されるように、ガイド・レールによって形成されたガイド手段１３に係合することができるその底面に、溝２８をもつ。
【００６５】
ヒンジ・カップ８に設けられた高さ調整手段１０をもつ垂直に調整可能なヒンジ１では、この横調整を唯一の横調整手段とすることができ、または、図４および図５ｂに説明された横調整手段５に加えて、それを提供することができる。
【図面の簡単な説明】
【００６６】
【図１】従来の単軸ヒンジの高さ調整および横調整の効果を示す図である。
【図２】単軸ヒンジの領域の家具枠およびドア・ウィングを通る断面図である。
【図３】垂直に調整可能な連結部材をもつドア側ヒンジ部の斜視図である。
【図４】家具枠ヒンジ部の横調整手段の分解図である。
【図５】従来のヒンジの横調整を示す図である。
【図６】本発明による横調整の実施形態を示す図である。
【図７】ドア側ヒンジ部の横調整を可能にするためのアダプタをもつ連結部材を示す図である。
【図１】
2008539348.tif 000003
【図２】
2008539348.tif 000004
【図３】
2008539348.tif 000005
【図４】
2008539348.tif 000006
【図５ａ】
2008539348.tif 000007
【図５ｂ】
2008539348.tif 000008
【図６】
2008539348.tif 000009
【国際調査報告】
2008539348.tif 000010
2008539348.tif 000011
2008539348.tif 000012
2008539348.tif 000013